(57)【特許請求の範囲】
【請求項１】
送受信部で受信した画像データを画像ファイルとして記憶部に保存し、それを読み出して表示部に表示することができる携帯通信端末装置において、受信した画像データを画像ファイルとして前記記憶部に保存する際に、それと連結したい画像データの画像ファイルを示す連結情報を当該画像ファイルに属性情報として付加する属性情報付加手段と、当該画像ファイルの画像データを表示部に表示した場合、当該画像ファイルに付加されている連結情報を参照して連結対象の画像ファイルを前記記憶部から読み出し、両画像ファイルの画像データをスクロール操作により前記表示部上でスクロール表示できるようにする表示制御手段とを備えたことを特徴とする携帯通信端末装置。
【請求項２】
属性情報には、記憶部に保存するファイルを管理するための管理情報が含まれ、属性情報付加手段は、該管理情報と連結情報とを含む属性情報を画像ファイルの先頭に付加することを特徴とする請求項１記載の携帯通信端末装置。
【請求項３】
属性情報付加手段は、スクロール操作キーにて指定される方向に従った連結情報を付加し、表示制御手段は、スクロール操作キーにて指定される方向に従った連結情報の画像ファイルを記憶部から読み出すことを特徴とする請求項１又は２記載の携帯通信端末装置。
【請求項４】
表示制御手段は、連結情報に対応する画像ファイルが記憶部に存在しない場合、送受信部に対し該当する画像データの配信要求をさせることが可能であることを特徴とする請求項１、２又は３記載の携帯通信端末装置。
【請求項５】
画像データが地図データであることを特徴とする請求項１、２、３又は４記載の携帯通信端末装置。
【請求項６】
ＧＰＳ衛星からの電波を受信して現在位置の緯度・経度を算出するＧＰＳ部を備え、送受信部は、ＧＰＳ部で算出された緯度・経度に基づいて地図データの配信要求をし、記憶部は、地図データに緯度・経度情報を含む地図属性情報が付加された地図データファイルを保存することを特徴とする請求項５記載の携帯通信端末装置。
【請求項７】
送受信部は、連結情報に対応する地図データファイルが記憶部に存在しない場合、緯度・経度情報を含む地図属性情報に、指定される方向に従った要求方向情報を付加して地図データの配信要求をすることを特徴とする請求項６記載の携帯通信端末装置。
【発明の詳細な説明】
【０００１】
【発明の属する技術分野】
本発明は、携帯電話機や簡易型携帯電話機（ＰＨＳ）や携帯情報端末（ＰＤＡ）などの携帯通信端末装置に関し、特に、地図データ等の画像データを効率良く保存及び表示できる携帯通信端末装置に関する。
【０００２】
【従来の技術】
携帯電話機などの携帯通信端末装置は、表示部の画面サイズが小さく、データ記憶容量も小さいので、画像データの場合には一画面に収まらないことが多く、切り替え表示しているが、その場合、表示画像を一旦閉じて再度別ファイルを選択しなければならず、連続して次々と表示することができなかった。
【０００３】
また、地図データの場合、画面サイズを超える大きさの地図を画面上で端までスクロールさせた後、その先の地図が見たい場合には、新たな地図データの取り込み操作を改めて行わなければならない等の、煩わしい操作が必要であった。
【０００４】
携帯通信端末装置という範疇を超えて、地図データをスクロール表示する技術だけを見た場合、例えば次の公報に開示された技術が従来知られている。
【０００５】
▲１▼  特開平５−１１９６９５号
１枚の地図データをユニットとして座標分割し、各々のユニットを座標データとしてテーブルにて管理し、目的の座標データを指示することでそのユニットに対応する地図を読み出し、表示部に表示させる。
【０００６】
▲２▼  特開平４−３６４５７９号
予め図形（地図）データと相互対応のとれた隣接位置管理ファイルを図形データとは別に用意し、表示部に表れる隣接位置図をマウス指定することにより、隣接位置管理ファイルを参照し、指定した図形を表示する。
【０００７】
【発明が解決しようとする課題】
しかし、このような従来技術は、画面サイズが大きく、しかもデータ記憶容量も十分に大きいパーソナルコンピュータやＣＡＤシステムには向いていても、表示部の画面サイズが小さく、データ記憶容量も小さい携帯電話機などの携帯通信端末装置には不向きである。また、合成して表示される地図の全形（単位図形の集合）が方形に限られるなど、自由度がない。
【０００８】
本発明は、携帯電話機などの携帯通信端末装置には、表示部の画面サイズが小さく、データ記憶容量も小さいという制約があることを踏まえた上、一画面に収まらないサイズの画像データを表示する場合に、何度も繰り返して画像データの再取り込み操作をしなければならない等の煩わしい操作をせずに、簡単なスクロール操作で連続表示できるようにしたものである。また、合成して表示される画像データの全形が特定されることはなく、上下左右いずれの方向にも自由に変えることができるようにしたものである。
【０００９】
【課題を解決するための手段】
すなわち、本発明は、送受信部で受信した画像データを画像ファイルとして記憶部に保存し、それを読み出して表示部に表示することができる携帯通信端末装置において、受信した画像データを画像ファイルとして記憶部に保存する際に、それと連結したい画像データの画像ファイルを示す連結情報を当該画像ファイルに属性情報として付加する属性情報付加手段と、当該画像ファイルの画像データを表示部に表示した場合、当該画像ファイルに付加されている連結情報を参照して連結対象の画像ファイルを記憶部から読み出し、両画像ファイルの画像データをスクロール操作により表示部上でスクロール表示できるようにする表示制御手段とを備えたことを特徴とする。
【００１０】
このような構成を基本として、好ましい形態は次のとおりである。
属性情報には、記憶部に保存するファイルを管理するための管理情報が含まれ、属性情報付加手段は、該管理情報と連結情報とを含む属性情報を画像ファイルの先頭に付加する。
【００１１】
属性情報付加手段は、スクロール操作キーにて指定される方向に従った連結情報を付加し、表示制御手段は、スクロール操作キーにて指定される方向に従った連結情報の画像ファイルを記憶部から読み出す。
【００１２】
表示制御手段は、連結情報に対応する画像ファイルが記憶部に存在しない場合、送受信部に対し該当する画像データの配信要求をさせることが可能である。
【００１３】
現在位置の地図データを取り込めるように、ＧＰＳ衛星からの電波を受信して現在位置の緯度・経度を算出するＧＰＳ部を備え、送受信部は、ＧＰＳ部で算出された緯度・経度に基づいて地図データの配信要求をし、記憶部は、地図データに緯度・経度情報を含む地図属性情報が付加された地図データファイルを保存する。
【００１４】
送受信部は、連結情報に対応する地図データファイルが記憶部に存在しない場合、緯度・経度情報を含む地図属性情報に、指定される方向に従った要求方向情報を付加して地図データの配信要求をする。
【００１５】
本発明によれば、各々の画像ファイルは属性情報を持ち、属性情報として、画像４端辺の先に表示させる画像ファイルを指す連結情報を書き込むことで、表示画像を４辺にスクロールさせるだけで、次々と表示ファイルを切り替えることができる。ある１つの画像ファイルを表示しているとき、画像ファイルを逐一再選択しなくとも、別の画像ファイルを連続的に表示部に表示できる。更に、地図データに関しては、表示地図の隣の地図を見たくも隣接地図が保存されていない場合、自動的に隣接地図の配信要求を行い、表示部に表示させることができる。
【００１６】
【発明の実施の形態】
次に、本発明の実施の形態を図面に基づいて詳細に説明する。
【００１７】
図１は、本発明を適用した携帯電話機の構成例を示すブロック図である。この携帯電話機は、無線で受信及び送信するためのアンテナ１と、アンテナ１から受信した又は送信するデータの復調又は変調をする送受信部２と、ＧＰＳ衛星から送信される電波をキャッチするＧＰＳアンテナ３と、ＧＰＳアンテナ３より受信したＧＰＳデータより現在位置の緯度・経度情報を算出するＧＰＳ部４と、キーボード５と、本携帯電話機の各種動作の処理・制御を行う制御部６と、地図・画像等のデータを保存する記憶部７及び一時保存する一時記憶部８と、受信中のデータや、記憶部７に保存したデータファイルを表示させるための表示部９とを有する。
【００１８】
キーボード５には、テンキーやデータの連結登録を行うためのキー等の所要のファンクションキーの他に、表示部９上における表示画面を上下左右方向にスクロールさせたりする場合に用いるスクロール操作キーが備わっている。本例において特に用いるのは、データの連結登録を行うための連結登録キーと、連結方向を決定するキーと、上下左右方向にスクロールするためのスクロール操作キーであるが、これらは機能毎にキーをそれぞれ分けて設けても、１つのキーに２以上の機能を兼用させてもよい。
【００１９】
例えば、図２に示すように１つの多機能キー１０にて、ファイルの連結登録と上下左右の連結方向の決定と表示部９の上下左右のスクロールとを行えるようにする場合、このキー１０の中央部を押すと、連結登録用スイッチがオンとなってファイルの連結登録モードとなり、中央部をもう一度押すとオフとなって連結登録モードが解除される。その解除状態で、キー１０の上部を押すと、上スクロール用スイッチがオンとなって表示部９の表示が上スクロール、下部を押すと、下スクロール用スイッチがオンとなって表示部９の表示が下スクロール、左部を押すと、左スクロール用スイッチがオンとなって表示部９の表示が左スクロール、右部を押すと、右スクロール用スイッチがオンとなって表示部９の表示が右スクロールされる。一方、連結登録モードでは、キー１０の上部を押して上スクロール用スイッチがオンとなると、ファイルの連結方向が上、下部を押して下スクロール用スイッチがオンとなると、ファイルの連結方向が下、左部を押して左スクロール用スイッチがオンとなると、ファイルの連結方向が左、右部を押して右スクロール用スイッチがオンとなると、ファイルの連結方向が右に決定される。このようにすると、キーボード５上のキー数を減らすことができるとともに、操作も分かり易い。
【００２０】
送受信部２にて地図データ等の画像データが受信され、キーボード５上で上記のように連結登録の操作が行われると、制御部６は受信された画像データの先頭に属性情報を付加して記憶部７に保存する。図３にその際のデータフォーマット例を示し、（Ａ）は受信データ、（Ｂ）は保存データである。保存データは、受信データの先頭にそのデータの固有情報である属性情報を付加したもので、属性情報には、データファイルの通し番号である管理番号と、このデータファイルと連結されるファイルを示す連結情報が含まれる。
【００２１】
図４は、本発明による携帯電話機の使用例を示す通信系統図である。本携帯電話機４０１に内蔵されたＧＰＳ部４は、ＧＰＳ衛星４０８からの信号を断続的に受信する。また、本携帯電話機４０１は、携帯電話網４０２に無線で接続され、内蔵された送受信部２により、他の携帯電話端末４０３やＰＳＴＮ（公衆電話網）４０４に接続された固定電話端末４０５と音声通信を行うことができるとともに、インターネット網４０６に接続されたサーバー４０７とデータ通信を行うことができる。その際、ＧＰＳ部４にて受信された緯度・経度情報を用いることにより、サーバー４０７に対して現在地の地図データを要求できる。サーバー４０７に対して他の画像データを要求できることは勿論である。
【００２２】
次に、本携帯電話機の動作の一例について説明する。
図５は、本携帯電話機がサーバーからデータを受信する受信シーケンスを説明するためのフローチャートである。
【００２３】
まず、サーバー４０７に対して現在位置周辺の地図を要求し、受信処理する受信シーケンスについて説明する。現在地の地図データを要求する場合（ステップＳ１０１でＹＥＳ）、初めにＧＰＳ衛星４０８から送られる緯度・経度情報を受信し、ＧＰＳ部４にて受信処理する（Ｓ１０２）。これを受けた制御部６は、その緯度・経度情報を送受信部２に送って変調処理し、図４の携帯電話網４０２及びインターネット網４０６を介してサーバー４０７へ地図データの配信要求をする（Ｓ１０３）。サーバー４０７から、地図配信要求に伴う地図データを受信すると（Ｓ１０４）、送受信部２で復調処理後、一時記憶部８に一時記憶する（Ｓ１０５）。そして、この一時記憶した地図データを表示部９に表示する（Ｓ１０６）。
【００２４】
サーバー４０７から、地図配信要求に伴う地図データ以外（Ｓ１０１でＮＯ）の画像データを受信した場合（Ｓ１０４）、同様に送受信部２で復調処理後、一時記憶部８に一時記憶する（Ｓ１０５）。そして、この一時記憶した画像データを表示部９に表示する（Ｓ１０６）。
【００２５】
次に、キーボード５上で連結登録用スイッチをオンとすると、連結登録処理（連結登録モード）に移行する。まず、記憶部７にこの地図／画像データを保存するための空き領域があるか否か確認し（Ｓ１０７）、もしあれば、連結登録モードになっていること（Ｓ１０８でＹＥＳ）、及び保存されたファイルが存在すること（Ｓ１０９でＹＥＳ）を確認した後、この地図／画像データと既存画像ファイルとの連結を行う。連結のイメージ図を図６に示す。
【００２６】
図６において、便宜上、表示部９に現に表示されている画像をファイルＡとする。通常、表示画像を上下左右にスクロール移動させた場合、画像の端まできたところでスクロールは完了する（画像が全て表示部９に表示されている場合はスクロール動作をしない）。そこで、画像ファイルＡに画像ファイルＢが図６に示すように連結登録されている場合、ファイルＡの上端まで上スクロールすると、ファイルＡの上端に連結対応したファイルＢが記憶部７から読み込まれ、表示部９に表示される。同様に、ファイルＢの表示時に右スクロールし、ファイルＢの右端まで来ると、今度はファイルＢの右端に連結対応したファイルＣが記憶部７から読み込まれ、表示される。以下、同様にして、表示ファイルの端まで来てさらにスクロール操作した場合、そこに連結登録したファイルが存在すれば、そのファイルが表示部９に表示される。
【００２７】
今、受信した地図データに連結ファイル登録を行うことにする（Ｓ１０９でＹＥＳ）。登録を行う地図データが表示されている状態で、上下左右のうち何れのサイドにファイルを連結させるかを決める（Ｓ１１０）。例えば、“右サイド決定”に対応している右スクロール用スイッチをオンにすることにより、連結サイドを右側に決定する。次に、記憶部７に保存してある画像ファイルより、連結させるファイルを選択決定する（Ｓ１１１）。地図画像の右サイド以外の他サイドにも別ファイルを連結登録させる場合は（Ｓ１１２でＹＥＳ）、同様の登録操作を繰り返す（Ｓ１１０〜Ｓ１１２）。連結登録を終えると（Ｓ１１２でＮＯ）、属性情報を地図データの先頭に付加する（Ｓ１１３）。
【００２８】
属性情報には、図３に示したように、ファイル固有の通し番号である管理番号と、上記のように連結登録した連結情報が含まれる。管理番号は、１（２進データ：０００１），２（２進データ：００１０），３（２進データ：００１１），４（２進データ：０１００）・・・と空き番号を順に付加する。連結情報としては、上端連結情報、右端連結情報、下端連結情報、左端連結情報、の４サイドの連結情報があり、各々には、登録したファイルの管理番号が入る。なお、連結登録していない場合は、０（２進データ：００００）が入る。データ列としては、管理番号、上端連結情報、右端連結情報、下端連結情報、左端連結情報の順番に、地図データの先頭に付加する。図３の（Ｂ）の例では、管理番号００１１のファイルに対し、右サイドに管理番号００１０のファイルを、下サイドに管理番号の０００１ファイルを連結していることを表している。
【００２９】
属性情報を付加した後は、この属性情報を付加した地図データを、記憶部７に１個のファイルとして保存する（Ｓ１１４）。なお、この時、新たに連結処理された記憶部７にある既存ファイルに関しても、各々の属性情報を変更し、上書き保存する。
【００３０】
また、受信した地図／画像データに対して、ファイル連結しない場合（Ｓ１０８でＮＯ）、及びファイル連結をしたくとも記憶部７に保存済みの地図／画像ファイルがない場合は（Ｓ１０８でＹＥＳ、Ｓ１０９でＮＯ）、受信した地図／画像データに、管理番号と上下左右端連結情報はすべて“０”の属性情報を付加し（Ｓ１１３）、記憶部７に保存する（Ｓ１１４）。
【００３１】
次に、連結登録したファイルの表示シーケンスについて、図７のフローチャートを用いて説明する。
【００３２】
記憶部７に保存してある画像ファイルを選択（Ｓ２０１）すると、選択された画像データは、表示部９に表示される（Ｓ２０２）。その後、スクロール操作を行い画像端で更にスクロールさせると（Ｓ２０３／Ｓ２０５／Ｓ２０７／Ｓ２０９）、制御部６は、当該画像ファイルの連結情報部の各対応する連結情報を読み出す（Ｓ２０４／Ｓ２０６／Ｓ２０８／Ｓ２１０）。例えば、図３の（Ｂ）のファイルを表示させていた場合、下スクロールを行い画像下端で更に下スクロールした時（Ｓ２０３でＮＯ、Ｓ２０５でＹＥＳ）、制御部６はこのファイルの下端連結情報を読み込む（Ｓ２０６）。下端連結情報は“０００１”であるので（Ｓ２１１でＮＯ）、記憶部７に保存してあるファイルから管理番号が“０００１”であるファイルを検索する（Ｓ２１３）。そして、現在表示中のファイルを閉じ、新たに管理番号が“０００１”であるファイルを、表示部９に表示する（Ｓ２０２）。以後の動作は同様である。
【００３３】
また、上記の例において最初の表示画面で下スクロールではなく、上スクロールをした場合（Ｓ２０３でＹＥＳ、Ｓ２０４）、読み出した連結情報は“００００”であるので（Ｓ２１１でＹＥＳ）、これは連結登録されたファイルがないことを示しており、その旨を表示部９に表示し（Ｓ２１２）、もとの表示画面に戻る。
【００３４】
表示を終了する場合は（Ｓ２１４でＹＥＳ）、表示中のファイルを閉じ（Ｓ２１５）、終了する。
【００３５】
次に、本発明の他の実施例について説明する。この例は、図７に示したフローチャートにおけるステップＳ２１２の後に、更に図８に示すようなステップＳ３０１〜Ｓ３０５を追加し、連結情報に対応する地図データファイルが記憶部７に存在しない場合、新たな地図データの配信要求を行えるようにしたものである。
【００３６】
図９にこの場合におけるデータフォーマット例を示し、（Ａ）は受信データ、（Ｂ）は保存データ、（Ｃ）は地図要求送信データである。（Ａ）の受信データには、地図属性情報として緯度・経度情報と縮尺情報とが地図データの先頭に付加されており、サーバー４０７からこのような地図属性情報を付加して送信されてくる。（Ｂ）の保存データは、地図データと地図属性情報を含む受信データの先頭に、更にそのデータの固有情報である属性情報を付加したもので、属性情報には、データファイルの通し番号である管理番号と、このデータファイルと連結されるファイルを示す連結情報が含まれる。（Ｃ）の地図要求送信データは、地図属性情報の後に、要求する方向を指示する要求情報を付加して送信される。
【００３７】
図５に示すステップＳ１１３では、保存データに付加する属性情報として新たにデータ識別情報が付加される。この識別情報は、受信データが地図データであるのか、それ以外の画像データであるのかを識別するものである。例えば、識別情報が“１”であれば地図データ、“０”であればそれ以外の画像データとする。
【００３８】
今、図９の（Ｂ）の構成をもったファイルを開いて、地図データを表示部９に表示しているものとする。また、この場合の連結情報は、全て“００００”（連結ファイルなし）とする。
【００３９】
図８のステップＳ２１２（図３のＳ２１２と同じ）において、表示部９に連結ファイルがない旨を表示した後、識別情報の判定を行う（Ｓ３０１）。識別情報が“１”であれば（Ｓ３０１でＹＥＳ）、つまり現表示画像が地図データであると、地図属性情報を読み出し（Ｓ３０２）、この地図属性情報に要求方向情報を付加した送信データを生成する（Ｓ３０３）。要求方向情報とは、現表示画像に対する上（北）、下（南）、左（西）、右（東）方向を示す情報のことであり、例えば、２進数“００”は上、２進数“０１”は下、２進数“１１”は右、２進数“１０”は左を表す。ステップＳ２１２で、キーボード５上で上スクロール用スイッチをオンすることにより「連結ファイルなし」となっていれば、この場合の要求方向情報は、“００”である。ステップＳ３０１で識別情報が“０”であれば、現表示画像は地図データではないということで、処理は元に戻る。
【００４０】
送信データを生成後は（Ｓ３０３）、このデータを送受信部２で変調し、アンテナ１よりサーバーに送信し、地図の配信要求を行う（Ｓ３０４）。
【００４１】
サーバー４０７側では、地図属性情報、要求方向情報を元に、送信データを割り出し配信する。本例では、同縮尺で中心緯度経度情報が１画面“北”の地図データを配信する。
【００４２】
地図配信要求後は（Ｓ３０４）、受信シーケンスに移り、配信地図データを受信する（Ｓ３０５）。
【００４３】
以上のようにすることで、地図を表示・スクロールさせていて地図の端まできた時、続きの地図がなくても、地図データ配信要求を自動的に行い、続きの地図を表示させることが可能となる。
【００４４】
以上、携帯電話機に適用した実施例について述べたが、本発明は、簡易型携帯電話機（ＰＨＳ）や携帯情報端末（ＰＤＡ）などの他の携帯通信端末装置にも適用できること明らかである。
【００４５】
【発明の効果】
本発明の第１の効果は、１つの画像ファイルを表示中に、そのファイルを１度閉じ、別ファイルを再選択・表示するなどの逐一煩わしい手続きを踏まなくても、次々と画像を上下左右方向にスクロールさせるだけで、別ファイルを次々連続表示させることが可能なことである。しかも、合成して表示される画像データの全形が特定されることはなく、上下左右いずれの方向にも自由に変えることができる。
その理由は、画像ファイル各々が、画像の各端辺までスクロールしたら、次に表示させるファイルを指し示す“属性情報”を持ち備えているからである。
【００４６】
第２の効果は、関連した画像データだけを選んで、画像スクロールによる連続表示ができ、また、関連画像類を１つの系列としてまとめることもできる点である。
その理由は、ファイル自身が連結のための“属性情報”を持っているため、分類系列をいくら増やしても何ら処理手続きは変わらず、煩雑な管理を他でする必要がないためである。
【００４７】
第３の効果は、連結させるファイルが地図データであろうが、その他の画像データであろうが、拡大図であろうが、縮小図であろうがファイルの種類を選ばないことである。
その理由は、連結状態の管理を、表示データの先頭に付加した既定の属性情報だけで行っているため、表示データ自体には何ら依存しないためてある。
【００４８】
第４の効果は、画像の時系列表示が容易な点である。
その理由は、画像の連結表示を上下左右のスクロールキーに割り当てている、また、データ管理しているため、縦系列／横系列と、系列毎に違う画像の登録が容易にでき、また、表示操作も簡便である。
【００４９】
第５の効果は、地図データにおいて連結ファイルがない場合は、自動的にサーバーから続きの地図データを受信し、表示することが可能なことである。
その理由は、サーバーが地図を配信する際、その地図の属性情報も併せて配信するため、その地図属性情報とそれに対する要求方角の情報をサーバーに返すことで、所望の地図データを受信・表示できるからである。
【図面の簡単な説明】
【図１】本発明を適用した携帯電話機の構成例を示すブロック図である。
【図２】それにおける多機能キーの一例を示す平面図である。
【図３】データフォーマット例を示し、（Ａ）は受信データ、（Ｂ）は保存データである。
【図４】図１の携帯電話機の使用例を示す通信系統図である。
【図５】図１の携帯電話機がサーバーからデータを受信する受信シーケンスを説明するためのフローチャートである。
【図６】ファイル連結のイメージ図である。
【図７】連結登録したファイルの表示シーケンスのフローチャートである。
【図８】本発明の他の実施例で、図７に続くフローチャートである。
【図９】その場合のデータフォーマット例を示し、（Ａ）は受信データ、（Ｂ）は保存データ、（Ｃ）は地図要求送信データである。
【符号の説明】
１  アンテナ
２  送受信部
３  ＧＰＳアンテナ
４  ＧＰＳ部
５  キーボード
６  制御部
７  記憶部
８  一時記憶部
９  表示部
１０  多機能キー
４０１  携帯電話機
４０２  携帯電話網
４０３  携帯電話端末
４０４  ＰＳＴＮ（公衆電話網）
４０５  固定電話端末
４０７  サーバー
４０８  ＧＰＳ衛星
【図１】
0004432294.tif 000002
【図２】
0004432294.tif 000003
【図３】
0004432294.tif 000004
【図４】
0004432294.tif 000005
【図５】
0004432294.tif 000006
【図６】
0004432294.tif 000007
【図７】
0004432294.tif 000008
【図８】
0004432294.tif 000009
【図９】
0004432294.tif 000010